(57)【特許請求の範囲】
【請求項１】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる制御手段を有することを特徴とする画像処理システム。
【請求項２】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、
前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させる制御手段を有し、
前記制御手段は、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする画像処理システム。
【請求項３】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させる制御手段を有することを特徴とする画像処理システム。
【請求項４】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、
前記複数の処理モードのうちの前記第２モードが前記操作手段を介してユーザにより選択された場合に、前記第１モードを自動的に有効状態にさせることなく、前記第２モードを有効状態にさせたうえで、前記操作手段によるユーザからの出力の指示により、前記画像処理装置によって、連続する頁番号情報が頁単位で付与されない前記複数のドキュメントデータを１まとまりのドキュメントデータとして出力させる制御手段を有し、
前記制御手段は、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする画像処理システム。
【請求項５】
処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムであって、
前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる制御手段を有することを特徴とする画像処理システム。
【請求項６】
処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムであって、
前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させる制御手段を有し、
前記制御手段は、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする画像処理システム。
【請求項７】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする制御方法。
【請求項８】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、
前記制御方法は、
前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させ、
前記制御方法は、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする制御方法。
【請求項９】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする制御方法。
【請求項１０】
処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、
前記制御方法は、
前記複数の処理モードのうちの前記第２モードが前記操作手段を介してユーザにより選択された場合に、前記第１モードを自動的に有効状態にさせることなく、前記第２モードを有効状態にさせたうえで、前記操作手段によるユーザからの出力の指示により、前記画像処理装置によって、連続する頁番号情報が頁単位で付与されない前記複数のドキュメントデータを１まとまりのドキュメントデータとして出力させ、
前記制御方法は、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする制御方法。
【請求項１１】
処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムにおける制御方法であって、
前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする制御方法。
【請求項１２】
処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムにおける制御方法であって、
前記制御方法は、
前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させ、
前記制御方法は、
前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする制御方法。
【請求項１３】
前記制御方法は、
前記複数の処理モードのうちの前記第１モードが前記操作手段を介してユーザにより選択された場合、前記操作手段によるユーザからのキャンセルするための指示に従って、前記画像処理装置によって、連続する頁番号情報が頁単位で付与された前記複数のドキュメントデータを１まとまりのドキュメントデータとして出力するのをキャンセルさせる、ことを特徴とする請求項７〜１２の何れかに記載の制御方法。
【請求項１４】
前記制御方法は、
前記操作手段におけるユーザによる前記第１モードの選択及び前記処理対象となるドキュメントデータの入力形態に応じて、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる、ことを特徴とする請求項７〜１３の何れかに記載の制御方法。
【請求項１５】
前記処理対象となるドキュメントデータは、原稿読取手段による原稿の読取処理によって得られるドキュメントデータであって、
前記制御方法は、
前記第１モードが前記操作手段を介して選択された場合において、前記原稿読取手段により読取対象となる原稿のセット状態に応じて、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる、ことを特徴とする請求項７〜１４の何れかに記載の制御方法。
【請求項１６】
前記処理対象となるドキュメントデータは、原稿読取手段による原稿の読取処理によって得られるドキュメントデータであって、
前記制御方法は、
前記第１モードが前記操作手段を介して選択された場合において、前記原稿読取手段に具備される原稿の有無を検知する原稿検知手段による検知結果に応じて、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる、ことを特徴とする請求項７〜１５の何れかに記載の制御方法。
【請求項１７】
前記処理対象となるドキュメントデータは、原稿読取手段による原稿の読取処理によって得られるドキュメントデータであって、
前記制御方法は、
前記操作手段を介してユーザにより前記第１モードが選択された場合において、前記原稿読取手段による１回分の読取処理にて読み取られる原稿の枚数が１枚であるのを条件に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる、ことを特徴とする請求項７〜１６の何れかに記載の制御方法。
【請求項１８】
前記制御方法は、
前記ドキュメントデータに対して前記頁番号情報を付与すべき位置、前記頁番号情報のフォント、前記頁番号情報のサイズ、前記頁番号情報の頁開始番号、前記頁番号情報の色の、少なくとも何れかの詳細設定を、前記第１モードを選択する際に、前記操作手段を介してユーザにより設定可能とする、ことを特徴とする請求項７〜１７の何れかに記載の制御方法。
【請求項１９】
前記制御方法は、
前記第１モードが前記操作手段を介してユーザにより選択された場合、前記画像処理装置によって、連続する頁番号情報が頁単位で付与された前記複数のドキュメントデータを１まとまりのドキュメントデータとして出力させるのに先立って、当該出力についての確認を前記操作手段を介してユーザにより行わせる、ことを特徴とする請求項７〜１８の何れかに記載の制御方法。
【請求項２０】
前記制御方法は、
前記第１モードが前記操作手段を介してユーザにより選択された場合、前記操作手段によるユーザからの前記第２モードの選択を解除するための指示に従って、前記画像処理装置によって、連続する頁番号情報が頁単位で付与されない前記複数のドキュメントデータを１まとまりのドキュメントデータとして出力させる、ことを特徴とする請求項７〜１９の何れかに記載の制御方法。
【請求項２１】
前記制御方法は、
前記第１モード及び前記第２モードを含む前記複数の処理モードのうちの、有効状態にさせた処理モードをユーザにより確認可能とする表示を、前記操作手段に具備される表示手段によって実行させる、ことを特徴とする請求項９または１０に記載の制御方法。
【請求項２２】
前記制御方法は、
前記第１モード及び前記第２モードを含む前記複数の処理モードのうちの、有効状態にさせた処理モードを、各処理モード毎に、前記操作手段を介してユーザにより解除可能にすることを特徴とすることを特徴とする請求項９、１０、２１の何れかに記載の制御方法。
【請求項２３】
前記制御方法は、
前記第１モードが前記操作手段を介してユーザにより選択された場合に、前記複数のドキュメントデータを記憶する記憶手段に対して前記複数のドキュメントデータの全てが記憶されたのを特定するための読込終了指示が前記操作手段を介してユーザにより入力されたのを受け、前記画像処理装置によって、前記連続する頁番号情報が頁単位で付与された前記複数のドキュメントデータを１まとまりのドキュメントデータとした前記出力を開始させる、ことを特徴とする請求項７〜２２の何れかに記載の制御方法。
【請求項２４】
前記画像処理装置は、前記連続する頁番号情報が頁単位で付与された前記複数のドキュメントデータを１まとまりのドキュメントデータとして印刷する、或いは他の装置へ送信する、或いは記憶手段に保存する、ことを特徴とする請求項７〜２３の何れかに記載の制御方法。
【請求項２５】
請求項７〜２４の何れかに記載の制御方法を実行するための制御プログラムを記憶したことを特徴とするコンピュータ読取可能な記憶媒体。
【請求項２６】
請求項７〜２４の何れかに記載の制御方法をコンピュータに実行させる為の制御プログラム。
【発明の詳細な説明】
【０００１】
【発明の属する技術分野】
本発明は、頁情報をプリント可能なデジタル複写機等の画像処理装置を含む画像処理システム及びその制御方法、前記制御方法を実行するための制御プログラムを記憶した記憶媒体並びに制御プログラムに関する。
【０００２】
【従来の技術】
スキャナ等から入力した原稿の画像情報をデジタル処理して出力する情報処理手段を備え、該情報処理手段の出力に基づいて原稿の画像情報を記録紙に複写するデジタル式複写機等の画像処理装置は、従来より一般的に知られている。
【０００３】
かかるデジタル式複写機にあっては、原稿画像の頁情報が無いときには、複写される記録紙自体に頁数が記録されないため、手作業で記録紙に頁数を記録するという手間があった。
【０００４】
このような問題を解決するために、複写機内部の制御手段により頁情報を管理し、頁情報の印字を記録紙と共に行うような複写機が提案されている。このように、頁情報をプリント可能な画像処理装置が提案されている。
【０００５】
【発明が解決しようとする課題】
しかしながら、上記従来のデジタル複写機において、頁を記録紙に印字する機能は入力原稿が複数枚存在する場合に多く使用されることが想定されるが、複数頁で構成される原稿束についてユーザが原稿１枚ずつ入力することを望むような場合、或いは、そうせざるを得ない場合には、頁の開始番号など所望の頁番号を有効とすることができない畏れがある。
【０００６】
また、上記の解決案として、１枚ずつの原稿入力を複数頁で構成される一部の原稿束として処理可能にする装置も考えられるが、このような装置を検討してみても、頁印字を行う際には、ユーザは頁印字の機能を有効とするための操作を１枚ずつの原稿入力の度に行わなければならず、操作が煩わしいという問題が予想される。
【０００７】
本発明は、頁印字を行う際のユーザの煩わしい操作を省略でき、操作性を向上させた上述の問題を解決した画像処理システム及びその制御方法、記憶媒体並びに制御プログラムを提供することを目的とする。
【０００８】
【課題を解決するための手段】
上記目的を達成するために、本発明の画像処理システムは、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる制御手段を有することを特徴とする。
また、本発明の画像処理システムは、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させる制御手段を有し、前記制御手段は、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
また、本発明の画像処理システムは、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させる制御手段を有することを特徴とする。
また、本発明の画像処理システムは、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムであって、前記複数の処理モードのうちの前記第２モードが前記操作手段を介してユーザにより選択された場合に、前記第１モードを自動的に有効状態にさせることなく、前記第２モードを有効状態にさせたうえで、前記操作手段によるユーザからの出力の指示により、前記画像処理装置によって、連続する頁番号情報が頁単位で付与されない前記複数のドキュメントデータを１まとまりのドキュメントデータとして出力させる制御手段を有し、前記制御手段は、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする。
また、本発明の画像処理システムは、処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムであって、前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させる制御手段を有することを特徴とする。 
また、本発明の画像処理システムは、処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムであって、前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させる制御手段を有し、前記制御手段は、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、前記制御方法は、前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させ、前記制御方法は、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モード、及び、互いに独立した複数のドキュメントデータを１まとまりのドキュメントデータとして取り扱うための第２モードを含む、複数の処理モードのなかから操作手段を介してユーザにより選択された処理モードに従った処理を、画像処理装置により実行させることができるように構成された画像処理システムにおける制御方法であって、前記制御方法は、前記複数の処理モードのうちの前記第２モードが前記操作手段を介してユーザにより選択された場合に、前記第１モードを自動的に有効状態にさせることなく、前記第２モードを有効状態にさせたうえで、前記操作手段によるユーザからの出力の指示により、前記画像処理装置によって、連続する頁番号情報が頁単位で付与されない前記複数のドキュメントデータを１まとまりのドキュメントデータとして出力させ、前記制御方法は、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせたうえで、前記操作手段によるユーザからの出力の指示により、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムにおける制御方法であって、前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
また、本発明の制御方法は、処理対象となるドキュメントデータに対して頁単位に頁番号情報を付与するための第１モードと、原稿台に対して複数回に分けてセットされる複数の原稿を読み取るための読取処理を原稿読取手段によって前記複数回分繰り返す、或いは、複数枚の原稿を連続給送可能な自動原稿給送手段により複数回に分けて給送される複数の原稿を読み取るための読取処理を前記原稿読取手段によって前記複数回分繰り返すことによって得られる互いに独立した複数のドキュメントデータを１つのドキュメントデータとして処理するための第２モードとを含む、複数の処理モードのなかから操作手段を介してユーザにより選択された処理モードに従った処理を、画像処理装置により実行させることができるように構成された画像処理システムにおける制御方法であって、前記制御方法は、前記複数の処理モードのうちの前記第２モードが前記操作手段を介してユーザにより選択された場合に、前記画像処理装置によって、連続する頁番号情報が頁単位で付与されない前記複数のドキュメントデータを１まとまりのドキュメントデータとして出力させ、前記制御方法は、前記複数の処理モードのうちの前記第１モードが前記操作手段を介してユーザにより選択された場合に、前記第１モードと共に前記操作手段を介して前記第２モードがユーザにより選択されなくても、前記画像処理装置によって、連続する頁番号情報が頁単位で付与された前記複数のドキュメントデータを１まとまりのドキュメントデータとして出力させることを特徴とする。
本発明の記憶媒体は、上記何れかの制御方法を実行するための制御プログラムを記憶したコンピュータ読取可能な記憶媒体であることを特徴とする。
本発明の制御プログラムは、上記何れかの制御方法をコンピュータに実行させる為の制御プログラムであることを特徴とする。
【００１５】
【発明の実施の形態】
以下、本発明の実施の形態を図面に基づいて説明する。
【００１６】
＜システムの全体構成＞
図１は、本発明の実施の一形態に係る画像処理装置を含む画像入出力システムの全体構成を示すブロック図である。
【００１７】
この画像入出力システム１は、イーサネット（登録商標）等のＬＡＮ（ＬｏｃａｌＡｒｅａ  Ｎｅｔｗｏｒｋ）４００を介してホストコンピュータ３，４に接続されている。すなわち、画像入出力システム１は、画像データの読み取り処理を行うリーダ部２と、画像データの出力処理を行うプリンタ部６と、画像データの入出力操作を行うキーボード及び画像データや各種機能の表示などを行う液晶パネルを備えた操作部７と、制御プログラムや画像データ等が予め書き込まれたハードディスクドライブ８を装着し上記各構成要素を制御する単一の電子部品から成るコントローラ部１１０とを有する画像処理装置を有している。なお、本発明は、コピー機能を有す装置、コピー機能及びファクシミリ機能及びプリンタ機能等を含む複数の機能を有す装置、ネットワーク対応型等、何れの形態も本発明を適用可能である。
【００１８】
さらに、リーダ部２は、原稿用紙を搬送する原稿給紙ユニット１０と、原稿画像を光学的に読み取って電気信号としての画像データに変換するスキャナユニット１１とを有し、プリンタ部６は、記録用紙を収容する複数段の給紙カセットを備えた給紙ユニット１２と、画像データを記録用紙に転写、定着するマーキングユニット１３と、印字された記録用紙にソート処理やステイプル処理を施して外部に排出する排紙ユニット１４とを有している。また、上記リーダ部２以外のデータ入力源として、外部コンピュータ（ＰＣ３、ＰＣ４等を含む）等の情報処理装置からのデータをＬＡＮやＷＡＮ等の各種の通信媒体を介して入力可能とし、それらのデータのプリント処理も実行可能とする。
【００１９】
原稿給紙ユニット１０は、複数枚の原稿を積載可能な２つの原稿トレイを有し、一方の原稿トレイ上に載置された原稿をプラテンガラス１５上の所定の読み取り位置に搬送する機能と共に、一方のトレイに載置された原稿を別の原稿トレイに移送させる原稿移送機能も有し、この原稿移送機能による原稿移送回数により原稿枚数を検出可能になっている。このように本形態は、文書データの入力枚数を確認可能とする。
【００２０】
＜リーダ部２及びプリンタ部６の詳細＞
図２は、リーダ部２及びプリンタ部６の詳細を示す内部構造図である。
【００２１】
リーダ部２は、プリンタ部６に載置されている。リーダ部２では、原稿給送ユニット１０に積層された原稿用紙がその積層順に従って先頭から順次１枚ずつプラテンガラス１５上に給送され、スキャナユニット１１で所定の読み取り動作が終了した後、読み取られた原稿用紙はプラテンガラス１５上から原稿給送ユニット１０に排出される。
【００２２】
上記スキャナユニット１１では、原稿用紙がプラテンガラス１５上に搬送されてくると、ランプ１６が点灯し、次いで光学ユニット１７の移動を開始させ、原稿用紙を下方から照射し、走査する。原稿用紙からの反射光は、複数のミラー１８〜２０及びレンズ２１を介してＣＣＤイメージセンサ（以下、単に「ＣＣＤ」と記す）２２へと導かれ、走査された原稿画像はＣＣＤ２２によって読み取られる。そして、ＣＣＤ２２で読み取られた画像データは、所定の処理が施された後、コントローラ部１１０（図２では図示省略）に転送される。
【００２３】
また、プラテンガラス１５上に載置された原稿用紙に対して、同様にランプ１６を下方から照射して走査することで、走査された原稿画像をＣＣＤ２２によって読み取ることも可能である。
【００２４】
以上の手順でリーダ部２から送出された画像データは、コネクタ５６を介してコントローラ部１１０に送出される。
【００２５】
次いで、プリント部６では、コントローラ部１１０から出力された画像データに対応するレーザ光が、レーザドライバ２３により駆動されるレーザ発光部２４から発光され、マーキングユニット１３の感光ドラム２５には該レーザ光に応じた静電潜像が形成され、現像器２６により前記静電潜像の部分に現像剤が付着する。
【００２６】
一方、レーザ光の照射開始と同期したタイミングで、給紙ユニット１２（給紙カセット１２ａ，１２ｂ）から記録用紙が給紙されて転写部２７に搬送され、感光ドラム２５に付着している現像剤を記録用紙に転写する。画像データが転写された記録用紙は定着部２８に搬送され、定着部２８における加熱・加圧処理により画像データが記録紙に定着される。
【００２７】
そして、画像データを記録用紙に片面記録する場合は、定着部２８を通過した記録用紙が排出ローラ２９によってそのまま排紙ユニット１４に排出され、排紙ユニット１４は、排出された記録用紙を束ねて記録用紙の仕分けを行い、また、仕分けされた記録用紙のステイプル処理を行う。
【００２８】
画像データを記録用紙に両面記録する場合は、排出ローラ２９まで記録用紙を搬送した後、排出ローラ２９の回転方向を逆転させ、フラッパ３０によって再給紙搬送路３１へと導かれ、該再給紙搬送路３１に導かれた記録用紙は上述と同様にして転写部２７に搬送される。
【００２９】
コントローラ部１１０は、上述したように単一の電子部品で構成され、リーダ部２で読み取った画像データをコードに変換し、ＬＡＮ４００を介してホストコンピュータ３、４に送信するスキャナ機能、及びホストコンピュータ３、４からＬＡＮ４００を介して受信したコードデータを画像データに変換し、プリンタ部６に出力するプリンタ機能、その他の機能ブロックを有している。
【００３０】
＜コントローラ部１１０の詳細＞
図３は、コントローラ部１１０の詳細を示すブロック図である。
【００３１】
コントローラ部１１０は、メインコントローラ３２を備えている。このメインコントローラ３２は、ＣＰＵ３３とバスコントローラ３４と後述する各種コントローラ回路を含む機能ブロックとを内蔵すると共に、ＲＯＭＩ／Ｆ３５を介してＲＯＭ３６と接続され、ＤＲＡＭＩ／Ｆ３７を介してＤＲＡＭ３８と接続され、コーデックＩ／Ｆ３９を介してコーデック４０と接続され、また、ネットワークＩ／Ｆ４１を介してネットワークコントローラ４２と接続されている。
【００３２】
ＲＯＭ３６は、メインコントローラ３２のＣＰＵ３３で実行される各種制御プログラムや演算データが格納されている。ＤＲＡＭ３８は、ＣＰＵ３３が動作するための作業領域や画像データを蓄積するための領域として使用される。コーデック４０は、ＤＲＡＭ３８に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック４０にはＳＲＡＭ４３が接続されており、該ＳＲＡＭ４３は前記コーデック４０の一時的な作業領域として使用される。
【００３３】
ネットワークコントローラ４２は、ネットワーク４４を介してＬＡＮ４００との間で所定の制御動作を行う。また、前記メインコントローラ３２はスキャナバス４５を介してスキャナＩ／Ｆ４６に接続され、プリンタバス４７を介してプリンタＩ／Ｆ４８に接続され、さらにＰＣＩバス等の汎用高速バス４９を介して拡張ボードを接続するための拡張コネクタ５０及び入出力制御部（Ｉ／Ｏ制御部）５１に接続されている。
【００３４】
Ｉ／Ｏ制御部５１は、リーダ部２やプリンタ部６との間で制御コマンドを送受信するための調歩同期式のシリアル通信コントローラ５２が２チャンネル装備されており、該シリアル通信コントローラ５２はＩ／Ｏバス５３を介してスキャナＩ／Ｆ４６及びプリンタＩ／Ｆ４８に接続されている。
【００３５】
スキャナＩ／Ｆ４８は、第一の調歩同期シリアルＩ／Ｆ５４及び第一のビデオＩ／Ｆ５５を介してスキャナコネクタ５６に接続され、さらに該スキャナコネクタ５６はリーダ部２のスキャナユニット１１に接続されている。そして、スキャナＩ／Ｆ４６はスキャナユニット１１から受信した画像データに対し所望の２値化処理や、主走査方向及び／又は副走査方向の変倍処理を行い、またスキャナユニット１１から送られてきたビデオ信号に基づいて制御信号を生成し、スキャナバス４５を介してメインコントローラ３２に転送する。
【００３６】
また、プリンタＩ／Ｆ４８は、第２の調歩同期シリアルＩ／Ｆ５７及び第２のビデオＩ／Ｆ５８を介してプリンタコネクタ５９に接続され、さらに該プリンタコネクタ５９はプリンタ部６のマーキングユニット１３に接続されている。そして、プリンタＩ／Ｆ４８はメインコントローラ３２から出力された画像データにスムージング処理を施して該画像データをマーキングユニット１３に出力し、さらにマーキングユニット１３から送られたビデオ信号に基づいて、生成された制御信号をプリンタバス４７に出力する。
【００３７】
そして、ＣＰＵ３３は、ＲＯＭ３６からＲＯＭＩ／Ｆ３５を介して読み込まれた制御プログラムに基づいて動作し、例えば、ホストコンピュータ３、４から受信したＰＤＬ（頁記述言語）データを解釈し、ラスターイメージデータに展開処理を行う。
【００３８】
また、バスコントローラ３４は、スキャナＩ／Ｆ４６やプリンタＩ／Ｆ４８、その他拡張コネクタ５０等に接続された外部機器から入出力されるデータ転送を制御するものであり、バス競合時のアービトレーション（調停）やＤＭＡデータ転送の制御を行う。すなわち、例えば、上述したＤＲＡＭ３８とコーデック４０との間のデータ転送や、スキャナユニット１１からＤＲＡＭ３８へのデータ転送、ＤＲＡＭ３８からマーキングユニット１３へのデータ転送等は、バスコントローラ３４によって制御され、ＤＭＡ転送される。
【００３９】
また、Ｉ／Ｏ制御部５１は、ＬＣＤコントローラ６０とパネルＩ／Ｆ６２を介して操作部７に接続されている。さらにＩ／Ｏ制御部５１は、不揮発性メモリとしてのＥＥＰＲＯＭ６６に接続され、またＥ−ＩＤＥコネクタ６３を介してハードディスクドライブ８に接続され、さらに、機器内で管理する日付と時刻を更新／保存するリアルタイムクロックモジュール６４に接続されている。なお、リアルタイムクロックモジュール６４は、バックアップ用電池６５に接続されて該バックアップ用電池６５によりバックアップされている。
【００４０】
＜メインコントローラ３２の内部詳細＞
図４は、メインコントローラ３２の内部詳細を示すブロック構成図である。
【００４１】
メインコントローラ３２はバスコントローラ３４を備えている。バスコントローラ３４は、４×４の６４ビットクロスバススイッチで構成され、６４ビットのプロセッサバス（Ｐバス）６７を介してＣＰＵ３３に接続され、またメモリ専用のローカルバス（Ｍバス）６８を介してキャッシュメモリ６９ａを備えたメモリコントローラ６９に接続されている。なお、メモリコントローラ６９は、ＲＯＭ３６やＤＲＡＭ３８などのメモリ類と接続され、これらのメモリ類の動作を制御する。
【００４２】
さらに、該バスコントローラ３４はグラフィックスバス（Ｇバス）７０を介してＧバスアービタ７１及びスキャン・プリンタコントローラ７２と接続され、また入出力バス（Ｂバス）７３を介して、Ｂバスアービタ７４、Ｇバスアービタ７１、インタラプトコントローラ、及び各種機能ブロック（電力管理ユニット７６、ＵＡＲＴなどのシリアルＩ／Ｆコントローラ７７、ＵＳＢ（Ｕｎｉｖｅｒｓａｌ  Ｓｅｒｉａｌ  Ｂｕｓ）コントローラ７８、ＩＥＥＥ１２８４等のパラレルＩ／Ｆコントローラ７９、ＬＡＮコントローラ８０、汎用入出力コントローラ８１、Ｂバス７３と外部バスであるＰＣＩバスとの間でＩ／Ｆ動作を司るＰＣＩバスＩ／Ｆ８２、及びスキャナ・プリンタコントローラ７２と接続されている。
【００４３】
Ｂバスアービタ７４はＢバス７３を協調制御するアービトレーションであり、Ｂバス７３のバス使用要求を受け付け、調停の後、使用許可が選択された１つのマスタに与えられ、これにより同時に２つ以上のマスタがバスアクセスを行うのを禁止している。なお、アービトレーション方式は３段階の優先権を有し、それぞれの優先権に複数のマスタが割り当てられる。
【００４４】
インタラプトコントローラ７５は、上述した各機能ブロック及びコントローラ部１１０の外部からインタラプトを集積し、ＣＰＵ３３がサポートするコントローラ類７２、７７〜８２及びノンマスカブルインタラプト（ＮＭＩ）に再配分する。
【００４５】
電力管理ユニット７６は機能ブロック毎に電力を管理し、さらに１チップで構成されている電子部品としてコントローラ部１１０の消費電力量の監視を行う。すなわち、コントローラ部１１０は、ＣＰＵ３３を内蔵した大規模なＡＳＩＣ（特定用途向けＩＣ）で構成されており、このため全ての機能ブロックが同時に動作すると大量の熱を発生して、コントローラ部１１０自体が破壊されてしまう虞がある。
【００４６】
そこで、このような事態を防止するために各機能ブロック毎に消費電力を管理し、各機能ブロックの消費電力量はパワーマネージメントレベルとして電力管理ユニット７６に集積される。そして、該電力管理ユニット７６では各機能ブロックの消費電力量を合計し、該消費電力量が限界消費電力を超えないように各機能ブロックの消費電力量を一括して、監視する。
【００４７】
Ｇバスアービタ７１は、中央アービトレーション方式によりＧバス７０を協調制御しており、各バスマスタに対して専用の要求信号と許可信号とを有する。なお、バスマスタへの優先権の付与方式として、全てのバスマスタを同じ優先権として、公平にバス権を付与する公平アービトレーションモードと何れか１つのバスマスタに対して優先的にバスを使用させる優先アービトレーションモードの何れかを指定することができる。
【００４８】
上記構成の画像入出力システムにおいて、ユーザは原稿を記録紙にコピーを要求する際には、画像入出力システムの備える操作部７からユーザの要求するコピー動作の動作モードを指定可能である。動作モードには、本発明の特徴を成す入力データに頁番号等の頁情報を付加する頁印字動作（ページプリントモードやナンバリングモードとも称される）などの他に、両面スキャン、両面プリント、ソート、ステイプルなどの入出力順を指定するもの、或いは変倍、白黒反転、鏡像など様々な画像処理を指定するものがある。このように複数の画像処理モードを有している。
【００４９】
また、頁印字動作では、画像情報に付加する頁情報の位置情報の指定、頁情報の文字サイズ及びフォント情報の指定、頁情報の文字の色情報の指定、及び頁情報の頁開始番号の指定が可能である。これにより、文書データに対して、頁単位で頁番号データを、所望の位置、サイズ、フォント、色、開始番号で、該文書データに付加してプリント可能にする。
【００５０】
また、本願は、上記のページプリント機能の他にも連続読込機能（連続入力機能）等の動作モードを有す。連続読込機能とは、ユーザからの所定指示（読込終了指示等）がなされるまで原稿画像の入力処理を継続させるモードであり、該所定指示がユーザにより入力される迄の間に複数回の入力動作により入力された互いに独立した複数のドキュメントデータを１つのジョブとして処理（例えば、１つのジョブとしてのプリント処理や、１つのジョブとしてのメモリボックスへの登録処理や、１つのジョブとしての他装置への転送処理を実行させる等）可能にするモード（複数回に分けて入力される互いに独立した複数の原稿画像を１つのジョブとして取扱可能にする機能）である。
【００５１】
該モードの利用環境としては、例えば、原稿給送機能を有すドキュメントフィーダー（ＤＦ）の原稿トレイに対して一度に積載不可能の大量の原稿束を処理させる等の理由により、該ＤＦを介して複数回に分けて原稿入力させる必要がある場合や、原稿読取台（プラテンガラス１５上）に原稿をユーザにより直接セットさせて原稿画像の読取動作を１枚単位（１頁単位）で行わせる圧板読取モード（非ＤＦモード）により、１枚ずつ文書データを入力させる場合等の状況がある。このような状況の際に、上記連続入力機能を選択しておくことで（該機能を有効にしておく）、複数回に分けて入力される互いに独立した複数の文書データを１つのジョブとして取り扱わせるよう該画像処理装置を動作可能にすることができる。
【００５２】
これにより、例えば、ユーザからの所定指示がなされるまでの間において複数回の入力処理を経て入力された複数の文書データを１つのジョブの文書データとしてプリントさせたり、メモリ内の所定のボックスに保存させたり、他装置に転送させたりする等、ユーザの所望の処理を実行可能にする。
【００５３】
上記の連続入力機能（連続読込モード）に関する設定方法及び表示制御等に関し、図７を用いて説明する。図７（ａ）〜（ｄ）は、本形態における操作部７の操作画面及びその表示遷移の一例を示す図である。図７及び後述の図８に示す各画面の表示画面データ等は所定のメモリに格納しておき、各画面の表示構成内容や表示遷移に関する制御は例えばコントローラ部１１０のＣＰＵ３３により行う。
【００５４】
なお、ここでは、主に、スキャナからの画像をプリンタ部でプリントするコピー機能での説明を行うため、操作部７での設定方法を説明するが、本形態の画像処理装置は、外部のコンピュータからの印刷データをプリントするプリント機能も備えている。従って、プリント機能の際は、印刷データ送出元であるホストコンピュータのディスプレイに図７（ａ）〜（ｄ）及び後述の図８と同様な操作画面を例えば該コンピュータのプリンタドライバにより表示させ、キーボードやマウス等によるユーザ操作を介して後述する各種の設定を行わせ、その指示内容でもって所望の印刷データを画像処理装置によりプリント可能にする。
【００５５】
また、本形態の画像処理装置は、スキャナ或いはＰＣからのデータをハードディスク８のメモリボックス（不図示）に登録させる処理、及び、該メモリボックスに保持されている文書データを該メモリボックスから読み出してプリンタ部でプリントしたり、他のボックスに移動させたり、他装置へ転送したりする処理を含むメモリボックス機能等も有している。従って、上記の連続入力モード及び頁印刷モードを各機能（コピー／プリンタ／ボックス／ファクシミリ等）のどの機能においても利用可能とし、後述の図５〜図７を用いて説明する各種の制御を実行可能とする。
【００５６】
また、上述の複数の機能（コピー／プリンタ／ボックス／ファクシミリ等）を全て有していなくとも、少なくとも何れか１つの機能を有している構成のものであれば本形態を適用可能である。
【００５７】
図７（ａ）はプリント設定画面の基本画面（初期画面）である。まず、図７（ａ）の設定画面上の応用モードボタン７０００がユーザにより選択されたことに応じて、表示内容を図７（ａ）の画面から図７（ｂ）の設定画面に切り替える。
【００５８】
図７（ｂ）の画面は応用モード設定画面である。本装置は、片面プリント／両面プリントモードやソートモードの他にも、製本モード、イメージ合成モード、縮小レイアウトモード、拡大レイアウトモード等の複数の画像処理モードを有す。そこで、プリント対象となるドキュメントデータに対して、図７（ｂ）の設定画面を介して上記のような複数の動作モードの中からユーザの所望の動作モードを選択可能にする。なお、複数のモードの中から１つだけ選択しても良いし、不整合のない組合せの範囲内で複数のモードを選択しても良い。
【００５９】
図７（ｂ）の設定画面上にて、ユーザにより連続読込ボタン７０２０が選択されたら、上記の連続読込モードを有効状態（ＯＮ）にする。そして、該画面上の閉じるボタン７０３０のユーザによる押下後、基本画面に戻るよう制御する（図７（ｃ）参照）。
【００６０】
なお、この段階では、プリント対象となるドキュメントに対して、既にユーザによる連続読込機能の設定がなされている。従って、更なる操作性の向上を図るべく、図７（ｃ）に示す基本画面の一例のように、連続読込機能の設定済みであることをユーザにより識別可能にする表示を実行するよう制御しても良い。例えば、図７（ｃ）の基本画面上にボタン７０６０を表示させる。また、図７（ｃ）の画面上の該ボタン７０６０をユーザにより押下可能とし、該ボタンのユーザによるＯＮ／ＯＦＦ操作に応じて上記連続読込機能の解除や再有効等を、先の図７（ｂ）の設定画面の再表示や図７（ｂ）の画面での再設定等の処理を行わせることなく、直接的に実行可能としても良い。これにより、設定状態の明瞭化と共に操作の簡略化を図ることができる。また、ユーザによるキャンセルボタン７０５０の押下に応答し、連続読込機能のＯＦＦも含む該印刷ジョブに対する全ての印刷設定条件を全て解除（初期設定値に戻す）可能にしても良い。このような操作性の向上を図れるような構成にしても良い。
【００６１】
以上の連続読込機能の設定も含む処理条件の設定が全て完了し、図７（ｃ）の設定画面にてユーザによるスタートボタン（読込開始ボタンとしても良い）の押下に応じて、ＣＰＵ３３は、ＡＤＦ或いは原稿読取台（プラテンガラス１５上）にユーザにより直接載置された原稿の読取動作をリーダ部により開始させ、該リーダにより読取べき原稿が無くなるまで読取動作を実行させて入力画像データを順次メモリにストアさせる。このようにプリント対象のドキュメントデータの入力処理を処理可能なドキュメントが無くなるまで行わせる。
【００６２】
そして、一連の入力処理が済んだとする（例えば、ＤＦ上の原稿を全て読み取った場合、或いは、圧板モードにより原稿台の原稿を読み取った場合等、一度に読込可能な原稿を全て処理し、処理すべき原稿が無くなった状態）。ここでのＣＰＵ３３の判断及び制御としては、現段階にて一通りの入力処理が済んでいる状態であるものの、先の設定により連続読込機能を起動させている（有効状態にさせている）ので、当該文書データの入力処理が全て完了したものとは判断せず、また、当該データ入力処理工程に引き続く後段の処理工程（例えば、プリント動作やボックス登録や他装置への送信処理等）に処理を移行させることなく、まだ入力すべきドキュメントデータがあるとみなし、操作部上に例えば図８のような画面を表示させる。
【００６３】
図８は連続読込モード下における操作画面である。ここで、ユーザは図８の画面の表示内容に従い、まだ入力させるべき原稿が有るなら、新たな入力用の原稿をＤＦ或いは原稿台にセットし、操作部のスタートキーを押下する。これにより、ＣＰＵ３３は、ユーザによる該操作に応答して、再度リーダ部により入力処理を実行させて一連の入力処理を継続させる。一方、もうこれ以上入力すべき原稿が無いならば、ユーザはその旨を装置に伝えるべく、読込終了ボタン７０８０を押下する。
【００６４】
ＣＰＵ３３は、上記読込終了ボタン７０８０の押下によるユーザからの上記読込終了指示に応答して、今までの入力処理工程の間において複数回の入力処理を経て入力された互いに独立した複数の文書データを１つのジョブの文書データとして取り扱うよう制御し、所望の処理を実行させる。例えば、これら複数の互いに独立したドキュメントデータを１つのジョブとして一括して、両面コピーや縮小レイアウト等のプリント処理や、メモリボックスへの登録処理、他装置に転送処理を、ユーザからの指示に従い実行させる。
【００６５】
以上の制御について具体例を挙げ説明する。例えば、３回に分けて入力させる文書データを１つのジョブとして両面プリントさせたい場合は、以下のような手順となる。
【００６６】
まず、ユーザにより、ＤＦ或いはプラテンガラス１５への１回目の入力用原稿のセット、及び「両面プリント」、「連続読込機能」の設定を含む各種プリントモードの設定を経てスタートボタンを押下する。これを受け、ＣＰＵ３３は、１回目の入力処理をリーダにより実行させる。１回目の入力処理が終了したら、ＣＰＵ３３は図８の操作画面を表示部に表示させる。次いで、ユーザにより、２回目の入力用の原稿をセットしてスタートボタンを押下する。これを受け、ＣＰＵ３３は、２回目の入力処理を実行させる。２回目の入力処理が終了したら、再び図８の操作画面を表示部に表示させる。次いで、ユーザにより、３回目の入力用の原稿をセットして、スタートボタンを押下する。これを受けＣＰＵ３３は、３回目の入力処理をリーダにより実行させる。３回目の入力処理が終了したら、図８の操作画面を再表示させる。この段階で、ユーザにより、図８の操作画面の読込終了ボタン７０８０を押下する。これを受けＣＰＵ３３は、入力処理が全て完了したものと判断する。そして、１回目の入力処理から３回目の入力処理までの間に入力されメモリに保持されている複数のドキュメントデータを、頁順（入力順）どおりに、順次メモリから読み出す。そして、プリントすべきデータがなくなるまで、１枚の記録紙の表裏に２頁ずつ両面プリントをプリンタ部により実行させる。
【００６７】
このように、連続入力モードを設定しておくことで、複数回の入力処理を経て入力される文書データを１つのジョブとして取り扱い可能とすることができる。
【００６８】
次に、頁印字動作（ページプリントモード）に関する設定方法並びにその制御等を図７の画面を用いて説明する。
【００６９】
図７（ａ）に示すプリント設定画面の基本画面上の応用モードボタン７０００がユーザにより選択されたことに応じて、ＣＰＵ３３は、表示内容を図７（ａ）の画面から図７（ｂ）の設定画面に切り替えさせる。
【００７０】
図７（ｂ）の応用モード設定画面において、ユーザにより複数の画像処理モードのうちの頁印刷ボタン７０１０が選択されたことに応じて、ＣＰＵ３３は、プリント対象となるドキュメントデータに対して上記の頁印刷モードを有効状態（ＯＮ）にする。
【００７１】
ここで、本形態では、例えば図７（ｂ）のような設定画面を介して本装置が有する複数の動作モードのうちの頁印刷モードがユーザにより指定された場合、ＣＰＵ３３は、該頁印刷モードをセットする（該機能を有効状態にさせる）と共に、ユーザが連続読込ボタン７０２０を介して上記の連続読込モードを選択したか否かそのユーザによるモード設定状況に関係なく、上記連続読込モードも自動的にセット（該機能を有効状態にさせる）するよう制御する。なお、本願でいうところの有効状態とは、その状態のままでドキュメントデータの処理を開始させると、その有効状態のモードによる処理を該ドキュメントデータに対して実行するという意味で、まだ実際にそのモードによる処理を処理対象のドキュメントデータに対して実行していない状態であり、現段階ではキャンセル可能とした状態である。
【００７２】
このように、ユーザによる頁印刷機能の選択に連動して上記連続読込機能を自動的にセットさせる（有効状態にさせる）理由について説明する。理由としては、例えば、頁印刷機能は、上述したように、処理対象となる文書データ（原稿画像データ）に対して頁単位で頁番号を付与可能にする機能であり、従って、該頁印刷機能がユーザ自身により選択されたということは、これから処理すべきユーザが所望とする文書データが複数頁分存在する可能性が高いこと、及び、頁番号機能がユーザにより選択されたにも拘らず、処理対象となる文書データが１頁分しか存在しない等のケースがあまり予想されないこと等を配慮しているからである。また、尚且つ、頁印刷機能と連続読込機能とが独立した設定となっていること等が原因で、本来なら頁印刷機能と共にユーザにより連続読込機能も設定すべきところ、連続読込機能の設定をユーザがし忘れる可能性が想定されること等を配慮し、ユーザが上記連続読込機能を設定することを忘れても、ユーザが頁印刷機能を選択したらＣＰＵ３３により自動的に上記連続読込機能もセットして、ユーザに対する操作性の向上を図るためである。以上のような理由により当該制御を行っている。
【００７３】
また、上記連続読込モードと当該頁印刷モードとの関係を説明すると、ユーザにより複数の画像処理モードのうちの上記連続読込モードが選択された場合には、ＣＰＵ３３は、連続読込モードと共に頁印刷モードを自動的に有効状態にする等の処理は実行させない。連続読込モードの方だけを有効状態にさせる。一方、頁印刷モードがユーザにより指定された場合は、連続読込モードがユーザにより併せて指定されているか否かに関係なく、ＣＰＵ３３は、頁印刷モードと共に、連続読込モードも自動的に有効状態にするよう制御する。
【００７４】
なお、本形態における上記制御に関し、図７（ｂ）の設定画面の頁印刷ボタン７０１０を介してユーザにより頁印刷モードの指示が入力されたことに応じて、処理対象となるドキュメントデータ（ジョブ）に対して、該頁印刷モード共に上記連続読込モードを自動的に立ち上げるように制御しても良い。また、後述のフローチャートのように、ユーザによる頁印刷モードの実行指示がなされ、且つ、所定の条件（図５のステップＳ５０２の判断や、ステップＳ５１１の判断等の条件）に応じて、該頁印刷モード共に連続読込モードを自動的にセットするような構成でも良い。
【００７５】
また、本形態は、図７（ｂ）の応用モード画面でユーザにより頁印刷ボタン７０１０が選択されたら、ＣＰＵ３３は、頁印刷モードの詳細設定を行うための詳細設定画面を表示させ、該頁印字モードの詳細設定画面を介して、ユーザにより頁印字の印字位置や印字種類等の詳細設定を可能にする。例えば、文書データがプリントされるシート上に付加すべき頁番号データの位置情報の指定（頁番号をシートの右下隅、真中下方、左下隅のどの位置に印字するかの設定等）、及び、頁番号情報の文字サイズ及びフォント情報の指定（頁番号の画像サイズを如何なるサイズにするかの設定及び、どのようなフォントで印字するかの設定等）、並びに、頁番号情報についての文字の色情報の指定（頁番号を何色でプリントするかの設定等）、及び頁情報の印字開始数字の指定（最初の頁番号の数字をユーザにより特定させるための設定等。例えば、ユーザが頁番号の開始数字を「２」を設定した場合、ＣＰＵ３３は、１頁目のドキュメントに対して頁番号「２」を付与し、２頁目のドキュメントに対しては頁番号「３」を付与し、これを順次、後続頁のドキュメントに対して頁番号が引き続くように各頁単位で頁番号を付与するよう各ユニットに対して所定の処理を実行させる）、を、ユーザにより実行可能にする。そして、ＣＰＵ３３は、ユーザからの上記各種の設定条件に従った頁番号プリント処理を実行させる。なお、ユーザによる詳細設定を省いた構成のものでも良い。
【００７６】
以上のユーザによる頁印字モードの設定が完了したら、基本画面に戻るようＣＰＵ３３により表示制御する。
【００７７】
なお、本形態は、該頁印字モードがユーザにより選択された場合において、該頁印字モード共に上記連続読込モードを自動的に有効状態にさせる。従って、更なる操作性の向上を図るべく、例えば、図７（ｄ）に示す基本画面のような、頁印字モードが設定済みである旨をユーザにより識別可能とする表示（ボタン７０７０）及び連続読込モードが設定済みである旨をユーザにより識別可能とする表示（ボタン７０６０）を有する設定画面を表示させるようにしても良い。また、これらのボタンをユーザにより押下可能とし、ユーザによる該ボタン７０７０の操作に応答して頁印刷モードの解除（有効状態から無効状態にさせる）や、ユーザによる該ボタン７０６０の操作に応答し連続読込モードの解除を行えるよう、これらのモードを、各モード毎に上記画面を介して、個別にＯＮ／ＯＦＦ制御できるようにしても良い。
【００７８】
また、以上の説明からも明らかなように、ユーザによる頁印刷機能の選択に応答し、連続読込機能を自動的に有効状態にするよう制御するが、場合によっては、連続読込機能の実行をユーザにより望まれない状況等があるかもしれない。従って、例えば、図７（ｄ）の画面のように、頁印刷モードの選択に連動して連続読込モードを自動的に設定（有効状態）した旨をユーザに通知し、これを見たユーザにより、この段階において、ボタン７０６０等を介してユーザ自身の手により連続読込モードの解除を適宜行えるようにしても良い。
【００７９】
このように、ユーザによる頁印刷機能の設定に連動し、一律的且つ強制的に連続読込モードを自動的に実行するのではなく、あくまでも、プリント設定条件として連続読込モードを有効状態にして、その旨をユーザ伝え、該状態でユーザからの処理開始指示を待ち、ユーザによる了承を得た上で、頁印刷機能と共に上記連続読込機能も実行するよう制御しても良い。これにより操作性を向上させながらもユーザの意思を尊重させるようにする。
【００８０】
以上の各種の設定がなされ、図７（ｄ）に示すような基本画面に戻り、ユーザによりモードの確認等が済んでスタートボタン７０４０が押下されたことに応じて、ＣＰＵ３３は、頁印刷機能と共に連続読込機能を実行するよう制御する。
【００８１】
以上の制御による具体例を図７、図８の設定画面例等を用いながら以下に述べる。なお、この例では、ユーザが所望とする文書データが原稿２枚分あるとする。また、ユーザがリーダ部の原稿台（プラテンガラス１５上）に１枚ずつ原稿をセットして、２回に分けて入力処理を行わせるとする。そして、それらの文書を１つのジョブとして頁番号を付与してプリントさせるものとする。このような状況でユーザと本装置は以下のようなやり取りを行う。
【００８２】
まず、ユーザにより、本装置のリーダ部の原稿台に１枚目の原稿がセットし、操作部の設定でもって、図７（ａ）の基本設定画面上の応用モードボタン７０００を押下する。これに応答して、ＣＰＵ３３は、操作画面を図７（ｂ）の応用画面に切り替えさせる。次いで、ユーザにより、図７（ｂ）の設定画面の頁印刷ボタン７０１０を押下して、頁印刷モードの実行を指示し、それと共に頁印刷の詳細設定を行う。これを受け、ＣＰＵ３３は、頁印刷モードを有効状態にさせると共に、該プリント対象となるドキュメントデータに対して先の連続読込機能も自動的に有効状態にさせる。そして、図７（ｄ）のような基本画面に戻らせる。次いで、ユーザにより、図７（ｄ）の画面を介して各種のプリント設定条件の確認が済み、スタートボタン７０４０を押下してプリント開始指示を送出する。これに応答し、ＣＰＵ３３は、原稿台上（プラテンガラス１５上）の１枚目の原稿の入力処理をリーダにより行わせ、その文書データをメモリに保持させる。そして、上記の原稿１枚目の入力処理が済んだら、表示部に図８のような連続読込モード用の操作画面を表示させる。
【００８３】
ここまでの段階では、全ての原稿入力処理が完了していない。従って、ユーザは、操作部に表示中の設定画面（図８）の表示を確認しながら、１枚目の原稿を原稿台から取り除き、代わりに２枚目の原稿を原稿台にセットする。それと共に、図８の設定画面の連続読込終了指示を行うためのボタン７０８０を押下することなく、操作部の不図示のスタートキーを押下する。
【００８４】
これに応答し、ＣＰＵ３３は、２枚目の原稿の入力処理をリーダにより行わせ、それを先程と同様にメモリに保持させる。そして、上記の２枚目の原稿の入力処理が済んだら、操作画面上に再び図８の連続読込モード用の画面を表示させる。
【００８５】
この段階では、処理すべき２枚の原稿を全てメモリに取り込んでおり、処理すべきデータの入力処理も全て完了している。従って、ユーザは、図８の設定画面上の読込終了ボタン７０８０を押下する。
【００８６】
これに応答して、ＣＰＵ３３は、全て読み取りが完了したものと判断し、プリント処理へと処理を移行させる。プリント処理としては、まず、１回目の入力処理でメモリに取り込んだ１枚目の原稿データを１枚目の記録紙にプリントするようプリンタ部を制御する。また、この際に、１枚目の記録紙上の、ユーザによる頁印刷詳細設定指示に応じた位置（右下隅、左下隅、真中下方の何れか）に、ユーザからの頁印刷詳細設定指示に応じた大きさ及びフォント及び色で（これらの指示はなくても初期値を採用しても良い）、頁番号「１」を付与した状態でプリント処理を行わせる。そして、次に、２回目の入力処理でメモリに取り込んだ２枚目の原稿データを２枚目の記録紙にプリントするようプリンタ部を制御する。また、この際、２枚目の記録紙上の、先程と同様（１枚目の記録紙と同様）の位置に、先程と同様の大きさ、フォント、色で、頁番号「２」をプリントするよう制御する。
【００８７】
以上により、２回の入力処理を経てメモリに取り込んだ互いに独立した複数のドキュメントデータに対する、頁印刷モード及び該モードの選択に連動して自動的にセットした連続読込モードを含ませたプリント設定条件に従った、出力処理を終了させる。これにより出力結果は例えば図６のようになる。
【００８８】
なお、以上の例は、スキャナからの入力処理及びプリンタ部でのプリント処理を行うモード（コピーモード）での制御例について説明したが、上述したように、外部機器からの入力処理及びプリント処理を行うモード（プリンタモードやファクシミリモード）や、スキャナ或いは外部機器からの入力処理及び自装置が有するメモリ内のボックスへの登録処理を行うモード（ボックス登録モード）や、該ボックスからのデータ読出処理と共にプリント処理或いは他装置への転送処理或いは他のボックスへの転送処理を行うモード等においても本制御を適用可能である。これは、以降の図５のフローチャートを用いた説明を含む実施形態についても同様である。
【００８９】
＜頁印字動作＞
上述のような構成の画像入出力システムにおいて実施される頁印字動作（上述の頁印刷機能、頁印刷モードと同義）について、図５のフローチャートを参照しつつ具体的に説明する。
【００９０】
（Ｉ）プラテンガラス１５上から原稿を読み込む際の動作
初めに、頁印字機能を有効とした場合にプラテンガラス１５上から原稿を読み込む際の処理について、ステップＳ５０１〜ステップＳ５０７に沿って説明する。
【００９１】
まずステップＳ５０１では、コントローラ部１１０のＣＰＵ３３は、操作部７でユーザが要求した動作モードを、パネルＩ／Ｆ６２からの入力をＬＣＤコントローラ６０及びＩ／Ｏ制御部５１を介して、認識する。例えば、図７に示す各種の設定画面を介してユーザにより設定され、そのプリント条件を記憶したメモリを参照することで、頁印刷動作の設定確認を含む動作モード（画像処理モード）の設定確認を行う。本実施形態では、頁情報を印字可能な画像処理装置としての一例の複写装置について説明するので、ステップＳ５０１で頁印字を実行しないことが選択された場合には、本発明と直接関係のない動作となるため説明を省略する。
【００９２】
ステップＳ５０１で、ユーザから要求のあった動作モードとして頁印字動作（頁印刷機能、頁印刷モードと同義）が含まれている場合には、ＣＰＵ３３は処理をステップＳ５０２に進める。ステップＳ５０２では、ＣＰＵ３３は、原稿給紙ユニット１０（ＤＦ）のトレイに原稿が載置されているか否かを判断する。原稿給紙ユニット１０に原稿が載置されているか否かは原稿給紙ユニット１０が有す原稿トレイ上の原稿の有無を検知可能なセンサにより常に検知可能とし、トレイ上の原稿有無の情報は該センサ、スキャナユニット１１を経由し、コントローラ部１１０のスキャナＩ／Ｆ４６を介して、情報が更新される毎にＣＰＵ３３に非同期に通知されるものとする。ＣＰＵ３３は、この通知情報から、ＤＦ（原稿給紙ユニット１０）の原稿給紙トレイ上に原稿が有るか無いかを判定する。
【００９３】
ステップＳ５０２で原稿給紙ユニット１０上に原稿が無いと判定された場合、ＣＰＵ３３は処理をステップＳ５０３に進める。なお、本画像処理装置が原稿給紙ユニット１０を装備しない場合には、強制的に処理をステップＳ５０３に進める。
【００９４】
ステップＳ５０３では、ＣＰＵ３３は原稿給紙ユニット１０のトレイ上に原稿が無いため、原稿読取台のプラテンガラス１５上に原稿が置かれているものと判断し、プラテンガラス１５上の原稿を入力する準備を行う。スキャナユニット１１が原稿サイズを認識できる場合は、原稿サイズ情報をスキャナＩ／Ｆ４６を介して取得する。サイズが確定しない場合、或いはスキャナユニット１１がプラテンガラス１５上の原稿サイズを検知する機能をもたない場合には、ＣＰＵ３３はパネルＩ／Ｆ６２を介して、読み取る原稿サイズの入力をユーザに促す。
【００９５】
またステップＳ５０３では、ＣＰＵ３３は頁印字動作の実行指示がユーザから指定されていることを認識済みのため、ユーザがプラテンガラス１５、或いは原稿給紙ユニット１０から連続して原稿束をスキャンすることを可能とする「連続読込モード（連続読込機能と同義）」を強制的（自動的）に有効状態（ＯＮ）とし、例えば、その旨を通知可能とするボタン７０６０を有す図７（ｄ）の設定画面を操作部に表示させることにより、パネルＩ／Ｆ６２を介して「連続読込モード」が有効となったことをユーザに通知する。
【００９６】
「連続読込モード」とは、プラテンガラス１５上或いは原稿給紙ユニット１０上から原稿の読み込みを行った際に、通常は入力された１枚或いは複数枚の原稿を１つの原稿束として処理を実行するのに対し、プラテンガラス１５上の原稿のスキャン終了時、或いは原稿給紙ユニット１０上の原稿を全てスキャンした後に次の原稿の入力を求めるモードである。「連続読み取りモード」が有効の場合、ユーザが読込終了を明示的に指示しない限りは原稿の入力を実行し続け、ユーザが読込終了を指示した（例えば、ユーザが図８の設定画面のボタン７０８０を介して指示した）際にそれまでに入力された原稿を１つの原稿束（１つのジョブ）として処理を行う。
【００９７】
「連続読込モード」が有効となるとステップＳ５０４へ進んで、ＣＰＵ３３はプラテンガラス１５上の原稿の読み取りを実行する。さらに、ＣＰＵ３３はスキャナユニット１１に対してスキャナＩ／Ｆ４６を介してスキャン要求を行う。要求を受けたスキャナユニット１１は、前述の手順で、原稿光画像をＣＣＤ２２に入力してその画像情報をコントローラ部１１０に転送する。
【００９８】
コントローラ部１１０では、受信した画像情報をバスコントローラ３４の制御によりＤＲＡＭ３８に書き込む。ＤＲＡＭ３８に入力された画像はＣＰＵ３３の指示によりコーデック４０により画像圧縮され、Ｉ／Ｏ制御部５１、及びＥ−ＩＤＥコネクタ６３を介しハードディスク８に記録保存される。この際、ＣＰＵ３３は読み取られた順序を頁情報（入力画像が何頁目であるかを頁単位で特定可能にするための情報を含む）として同時にハードディスク８に記録する。
【００９９】
プラテンガラス１５上の原稿読み込みが終了したので、ステップＳ５０５では、ＣＰＵ３３はパネルＩ／Ｆ６２を介して後続のスキャンすべき原稿が有るか否かをユーザに確認する。例えば、図８の設定画面を表示させて、ユーザによる確認及び、ユーザからの指示を待つ。例えば、図８の設定画面上の読込終了ボタン７０８０がユーザにより押下されたことで、ユーザが後続の原稿が無い旨を指示した際は、ＣＰＵ３３は処理をステップＳ５０６に進める。一方、例えば、図８の設定画面上の読込終了ボタン７０８０がユーザにより押下されずに、新たな原稿がセットされ操不図示のスタートキーが押下されたことで、ステップＳ５０５で読み込みを継続することをユーザが選択した場合にはＣＰＵ３３は処理をステップＳ５０２に戻し、後続原稿の入力処理に備える。
【０１００】
ステップＳ５０６では、ＣＰＵ３３は頁印字処理を実行する。頁印字処理は、上記ステップＳ５０４で画像情報と共に保存された頁情報に基づいて行われる（頁印刷モードの出力の具体例は上述参照）。
【０１０１】
本実施形態では、頁情報を可視像として画像形成を行う処理に関しては特に言及しない。例えば、コントローラ部１１０が備えるコーデック４０がフォント情報をもち、画像伸張時に画像情報に頁番号を付加する、或いはＣＰＵ３３がＲＡＭ３８に伸張された画像に対して直接ビット操作により描画しても構わない。また、プリンタＩ／Ｆ４８が画像をプリンタ部６に形成する際に可視像を形成し画像情報に付加しても構わない。本実施形態では、ＣＰＵ３３が頁情報（頁番号）を可視像として形成する場合を例にとって説明する。
【０１０２】
すなわち、ステップＳ５０６では、ＣＰＵ３３は頁情報と入力された画像情報をハードディスク８から読み出す。画像情報は画像圧縮されているので、コーデック４０に転送し、ビットマップ画像に伸張、ＤＲＡＭ３８に展開される。ＣＰＵ３３は、ハードディスク８より読み出した頁情報を基にＤＲＡＭ３８上のビットマップ画像に対して頁情報をビットマップデータとして画像情報に重ねて形成し（即ち、入力原稿の画像データと該原稿の頁番号に対応する頁番号データとの合成処理を、入力原稿の各頁単位毎に行う）、処理をステップＳ５０７に移行する。
【０１０３】
ステップＳ５０７で、ＣＰＵ３３はＤＲＡＭ３８上に形成された頁情報付きのビットマップ画像（頁番号と原稿画像との合成処理により生成される合成処理済み画像データ）をプリンタＩ／Ｆ４８を介してマーキングユニット１３に転送する。マーキングユニット１３では上述のように可視像として、ビットマップ画像を記録紙に形成、出力する。
【０１０４】
このように、ユーザより頁印字が指定された場合において、プラテンガラス１５上から原稿を読み込む際には、自動的に連続読込モードを有効とすることでユーザの手間を省き、連続的に原稿をスキャンし、図６の出力例に示すような頁情報を記録紙に印字することが可能となる。
【０１０５】
なお、上述したように、両モードのうちの自動的に起動させた連続読込モードをユーザにより解除したい場合は、例えば、ステップＳ５０３とステップＳ５０４との間において、図７（ｄ）のような確認のための設定画面を表示させ、ボタン７０６０等を介してユーザにより適宜キャンセル（有効状態から無効状態にする）可能にしても良い。
【０１０６】
（ＩＩ）原稿給紙ユニット１０から原稿を読み込む動作
次に、頁印字機能を有効とした場合にＡＤＦ（原稿給紙ユニット１０）の原稿トレイから読み込んだ原稿が１枚のみであった際の処理について、図５のステップＳ５０１、ステップＳ５０２、及びステップＳ５０９〜ステップＳ５１３に沿って具体的に説明する。
【０１０７】
なお、ここでは、ステップＳ５０２の判断で肯定判定の場合の際の処理について主に説明する。従って、ステップＳ５０１の処理及び、ユーザによる各種動作モードの設定等を含むステップＳ５０２の処理よりも前段の処理は先の説明と同様である。
【０１０８】
ステップＳ５０２で原稿給紙ユニット１０の原稿トレイ上に原稿が有ることを、該ユニット１０の原稿の有無を検知する不図示の原稿検知センサからのセンサ出力結果により、判定された場合、ＣＰＵ３３は処理をステップＳ５０９に進める。
【０１０９】
ステップＳ５０９では、ＣＰＵ３３は原稿給紙ユニット１０のトレイ上の原稿の入力処理を開始させる。例えば、該トレイ上にセットされている原稿の原稿読取位置（ＣＣＤ２２により原稿読取処理を行う位置）への搬送処理等を行う。原稿給紙ユニット１０が原稿サイズを認識できる場合は、原稿サイズ情報をスキャナＩ／Ｆ４６を介して取得する。例えば、ＡＤＦ内の原稿読取位置に到達するまでの原稿搬送路上に設けられた不図示の原稿サイズ検知センサによる搬送対象の原稿のサイズ検知結果を該原稿検知センサからの出力により取得することで原稿サイズ情報を獲得する。サイズが確定しない場合、或いは原稿給紙ユニット１０が原稿サイズを検知する機能をもたない場合には、ＣＰＵ３３はパネルＩ／Ｆ６２を介して、読み取る原稿サイズの入力をユーザに促す。
【０１１０】
そして、ＣＰＵ３３はスキャナユニット１１に対してスキャナＩ／Ｆ４６を介してスキャン要求を行う。要求を受けたスキャナユニット１１は、前述の手順で、原稿給紙ユニット１０の原稿トレイ上に載置された原稿で原稿読取位置へと搬送される原稿を、ＣＣＤ２２を通して画像情報として入力し、その画像情報をコントローラ部１１０に転送する。
【０１１１】
なお、この処理は、ＡＤＦの原稿トレイ上に載置済みの原稿を、先頭頁側の原稿から順次１枚ずつ搬送処理及び読取処理を行い、原稿トレイ上の原稿が無くなるまで当該処理を行わせる。また、この際に、入力処理済みの原稿の原稿枚数を不図示の原稿枚数カウンタによりカウントしておき、後段の処理に利用可能にメモリに保持する。
【０１１２】
コントローラ部１１０では、受信した画像情報をバスコントローラ３４の制御によりＤＲＡＭ３８に書き込む。ＤＲＡＭ３８に入力された画像は、ＣＰＵ３３の指示によりコーデック４０により画像圧縮され、Ｉ／Ｏ制御部５１、及びＥ−ＩＤＥコネクタ６３を介してハードディスク８に記録保存される。この際、ＣＰＵ３３は読み取られた順序（先頭頁の原稿が１頁目となり、それに引き続く後続原稿が順次、後続頁となるような順序）を、上述の原稿枚数カウンタからのカウント情報や操作部からの設定情報を基に、頁情報として同時にハードディスク８に記録する。
【０１１３】
上記ステップＳ５０９の処理により、一度に入力可能な原稿（ステップＳ５０９で原稿入力処理を開始した段階において既に原稿トレイ上に載置済みの原稿の全て）を全てメモリに取り込み、一連の原稿読み込み作業が終了したら、ステップＳ５１０の判断にて、原稿給紙ユニット１０上に入力が完了していない原稿があるか否かを確認する。例えば、ＡＤＦの原稿トレイ上の原稿有無検知センサにより原稿無しの旨の通知を受けたら、ＣＰＵ３３は、ＤＦ上に原稿が無いものと判断する。また、一方、後続の原稿があることを、該センサからの出力により判断した場合には、処理をステップＳ５０９に戻し原稿の入力を行う。ステップＳ５１０で後続の原稿が無い場合、ＣＰＵ３３はステップＳ５１１に処理を進める。
【０１１４】
ステップＳ５１１では、ＣＰＵ３３はステップＳ５０９で読み込んだ原稿の枚数を、例えば、上述した不図示の原稿枚数カウンタからの情報等に基づいて、確認する。ステップＳ５０９の処理における入力原稿の枚数が１枚であると判断した場合には、ＣＰＵ３３は処理をステップＳ５１２に進め、「連続読込モード」を強制的（自動的）に有効とし（連続読込機能をＯＮにする）、パネルＩ／Ｆ６２を介して「連続読込モード」が有効となったことをユーザに通知する。例えば、図７（ｄ）のように、ユーザ操作によりセットした頁印刷機能下における該連続読込機能の自動設定をユーザに確認可能にする表示を実行させるよう表示部を制御する。
【０１１５】
ステップＳ５１１で読み込んだ原稿が複数枚あると判断された場合には、ＣＰＵ３３は処理を上記ステップＳ５０６に進めて、前述したと同様に頁印字処理を行う。
【０１１６】
なお、本形態は、このように、頁印刷モードがユーザにより選択された場合において、ステップＳ５０９の処理においてＡＤＦから入力した原稿が複数枚ある場合には、連続読込モードの自動設定を行うことなく、頁印刷モードによるプリント処理を行うよう制御しても良いし、先の図７、図８を用いた例のように、頁印刷モードが設定された状態において、ＡＤＦからの入力原稿の枚数が１枚の場合でも複数枚の場合でも連続読込モードを自動的に有効状態にし、頁印刷モードと連続読込モードの両者を有効状態にした状態で、プリント処理を実行させるように制御しても良い。
【０１１７】
ステップＳ５１２で「連続読込モード」を有効した後、ＣＰＵ３３は処理をステップＳ５１３に進め、新たに入力させるべき後続の原稿の有無をパネルＩ／Ｆ６２を介してユーザに確認する。ユーザが後続の原稿が無い旨を指示した際には（ステップＳ５１３の判断でＹＥＳの場合）、ＣＰＵ３３は処理をステップＳ５０６に進めて、前述したと同様に頁印字処理を行う。ステップＳ５１３で読み込みを継続することをユーザが選択した場合には（ステップＳ５１３の判断でＮＯの場合）、ＣＰＵ３３は処理をステップＳ５０２に戻す。
【０１１８】
例えば、当該ステップＳ５１３の処理として、ＣＰＵ３３は、図８に示すような、連続読込モード下における操作画面を表示させる。そして、図８の画面上の、原稿読込終了指示を入力するためのボタン７０８０がユーザにより押下されたか否かの確認、及びボタン７０８０が押下されずに不図示のスタートキーがユーザにより押下されたか否かの確認等を、ユーザによるボタン操作の検知結果により行う。図８の操作画面におけるユーザによるボタン７０８０の押下により連続読込終了指示が入力された場合（ステップＳ５１３の判断がＹＥＳの場合）、ＣＰＵ３３は、当該ステップＳ５１３の処理を行う前までの間においてステップＳ５０９の処理を介してメモリに取り込み済の全ての画像データを、１つのプリントジョブに含まれる画像データとして取り扱うよう制御する。例えば、それらの画像データを１つのジョブとして、ステップＳ５０６の処理にて各頁毎に該当する頁番号をハードディスクに保持している上記頁情報を基にユーザにより指定された頁詳細設定条件に従って付与させ、その頁印字処理済みデータをステップＳ５０７にてプリントさせる。また、一方で、図８の操作画面においてユーザによりボタン７０８０が押下されず、ユーザにより新たな原稿がＡＤＦ上の原稿トレイにセットされて操作部のスタートキーがあらためて押下されたことによりユーザによる連続読込継続指示がなされた場合（ステップＳ５１３の判断がＮＯの場合）、ＣＰＵ３３は、入力すべき後続原稿がまだ有ると判断し、ステップＳ５０９の処理に戻り上述と同様の処理を再度行わせるよう制御する。
【０１１９】
１０から原稿の読み込みを行った原稿枚数が１枚のときには、強制的（自動的）に「連続読込モード」を有効とすることでユーザの操作の手間を省き、連続的に原稿をスキャンすることで、図６の出力例に示すような頁情報を記録紙に印字することが可能となる。
【０１２０】
また、入力された原稿の総枚数が１枚であった場合には、頁情報の付加を行うか、行わないかのユーザによる選択設定や、総頁数が１であることを明示的に画像情報に付加して出力するか否かのユーザによる選択設定を可能にする機能を設け、これらのユーザからの上記選択に従って各ユニットをＣＰＵ３３により制御可能に構成しても良い。
【０１２１】
また、画像メモリ上にて、ドキュメントデータと頁番号との合成処理を行わせ、頁番号が付与された状態の合成処理済み画像データをシートにプリントさせることで図６のような出力結果となるよう制御しても良いし、シートに対して直接ドキュメントデータの印字と頁番号の印字を施すことで図６のような出力結果となるよう制御しても良い。
【０１２２】
また、上述例のように、連続読込モードの実行により１つのジョブとしてみなされ、且つ、頁印刷モードの実行により頁番号が各々付与された状態の、複数の互いに独立したドキュメントデータの全てを、上述例のようにプリンタにより一括してプリント（連続印刷）させても良いし、当該両モードにより処理済みのそれら複数のドキュメントデータを、例えば、ハードディスクのボックスに一括して格納させたり、外部装置（ホストコンピュータや、遠隔のファクシミリ装置、遠隔のコピー機）に一括して転送させたりしても良い。ＣＰＵ３３は、これらのプリンタによる一括プリント処理、ボックスへの一括記憶処理、他装置への一括転送処理を有す複数の出力処理のうちの、どの出力処理を実行させるかを、ユーザからのプリント設定条件に基づいて決めるようにし、ユーザからの指示に基づいた出力処理を実行させるようにしても良い。
【０１２３】
なお、上述した図５のフローチャートに従ったプログラムをコントローラ部１１０内のＲＯＭ３６に格納し動作することにより、上述の制御方法を実現させることが可能となる。
【０１２４】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステム或いは装置に供給し、そのシステム或いは装置のコンピュータ（又はＣＰＵやＭＰＵ）が記憶媒体に格納されたプログラムコードを読み出し実行することによっても、完成されることは言うまでもない。
【０１２５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１２６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【０１２７】
また、上述したように、本形態では、主に、コピー機能の場合について説明したが、これに限らず、プリンタ機能やファクシミリ機能等の外部装置からの画像データの入力処理を含む機能でも適用可能であり、また、スキャナ或いは外部装置からの入力画像データを自装置が有するハードディスクのボックスに保存させる処理や、ボックスに保存されている画像データをボックスから読み出して出力させる処理を含むボックス機能の際にも本形態を適用可能である。また、処理対象のドキュメントデータを、本形態の装置が具備するようなスキャナユニットを用いて、プリントしたり、ボックスに格納させたり、他の外部装置に転送させる等の、少なくともスキャナユニットを用いた機能モードにおいても本形態は適用可能である。
【０１２８】
以上詳細に説明したように、本形態によれば、処理対象となるドキュメントデータ（原稿画像データ、単にジョブとも呼ぶ）に対して頁印刷モードがユーザによりマニュアル選択された場合において、ＣＰＵ３３は、当該頁印刷モードを有効状態にすると共に、連続入力モード（連続読込モード）の方も、該連続入力モードの実行がユーザにより操作部から指示されているか否かに関係なく、自動的に有効状態にするよう制御する。そして、該頁印刷モード及び連続読込モードの両モードに従って、ユーザの所望とする処理対象のドキュメントデータを順次処理するよう制御する。
【０１２９】
また、ユーザによる頁印刷モードの実行指示の入力に応じて、該頁印刷モードを有効状態にすると共に、上記連続読込モードを自動的に有効状態にさせるよう制御しても良いし、ユーザによる頁印刷モードの実行指示の入力がなされ、且つ、所定条件（例えば、スキャナユニットが有するプラテンガラス１５上に直接原稿がセットされた状態であるか否かの判断条件や、スキャナユニットが有する原稿給送装置としてのＤＦユニット上の原稿トレイに原稿がセットされた状態であるか否かの判断条件や、ＤＦユニットからの原稿の入力原稿枚数が１枚であるか否かの判断条件等の、ユーザによる入力装置に対してのドキュメントのセット状態、セット方法、セットの仕方等のユーザによるドキュメントの入力形態）に応じて、両モードのうちの頁印刷モードの方だけを有効状態となるよう制御したり、頁印刷モードと共に連続読込モードも自動的に有効状態にするよう制御しても良い。
【０１３０】
また、頁情報出力モードがユーザによりマニュアル指定されたときは、例えば、所定の読み取り位置にシートが載置されていると判定されたこと、或いは自動シート送り手段のトレイ上に載置されているシートの総枚数が１枚であると検出されたこと等の所定の条件下で、連続読込モードを自動的に起動するように制御する。
【０１３１】
また、ＣＰＵ３３により自動的に連続読込モードを起動させたとしても、図７（ｄ）に示す操作画面のように、それで良いか否かをユーザに確認し、ユーザからの了承を得た上で、上記連続読込モードを上記頁印刷モードと共に実行するよう制御しても良い。また、図７（ｄ）の画面を介して、ユーザに確認させたところ、両モードのうちの連続読込モードの実行は行わなくても良いとユーザが判断したような場合等には、ＣＰＵ３３の判断で自動的に有効状態にした該連続読込モードを、図７（ｄ）の画面上のボタン７０６０等を介してユーザにより解除可能に制御しても良い。このように、強制的な制御を行わずに、推奨的な制御で留めておき、ユーザによる選択の余地の幅をもたせるようにしても良い。
【０１３２】
以上のような処理を行うことにより、本願従来例のような問題が起こりうることも未然に防止し、ユーザへの配慮を図り、頁印字を行う際のユーザの煩わしい操作を省略でき、操作性を向上させることができる。
【０１３３】
【発明の効果】
以上詳細に説明したように本発明によれば、本願従来例のような問題が起こりうることも未然に防止し、ユーザへの配慮を図り、処理対象となるドキュメントデータに対して頁番号情報を付与する際のユーザの煩わしい操作を省略でき、操作性を向上させることができる。
【図面の簡単な説明】
【図１】本発明実施一形態に係る画像入出力システムの全体構成を示すブロック図である。
【図２】リーダ部２及びプリンタ部６の詳細を示す内部構造図である。
【図３】コントローラ部１１０の詳細を示すブロック図である。
【図４】メインコントローラ３２の内部詳細を示すブロック構成図である。
【図５】実施形態の頁印字動作を示すフローチャートである。
【図６】頁印字された記録紙の出力例を表す図である。
【図７】操作画面、及び、操作画面の遷移状態の一例を示す図である。
【図８】操作画面の一例を示す図である。
【符号の説明】
１  画像入出力システム
２  リーダ部
６  プリンタ部
７  操作部
８  ハードディスクドライブ
１０  原稿給紙ユニット
１１  スキャナユニット
１２  給紙ユニット
１３  マーキングユニット
１４  排紙ユニット
１５  プランテンガラス
１１０  コントローラ部
【図１】
0004047142.tif 000002
【図２】
0004047142.tif 000003
【図３】
0004047142.tif 000004
【図４】
0004047142.tif 000005
【図５】
0004047142.tif 000006
【図６】
0004047142.tif 000007
【図７】
0004047142.tif 000008
【図８】
0004047142.tif 000009